(57)【要約】【課題】易破断線が不用意に破断して内容物が漏れるのを回避できると共に、斜め注出口を介して内容物をスムーズに注出できる注出口の開封構造を提供する。【解決手段】注出ノズル部１１の軸方向Ｘと垂直な面に対して斜めに傾斜する閉塞面部１３が除去されることにより、注出ノズル部１１の先端に斜め注出口１２が開口形成される開封構造１０であって、斜め注出口１２は、注出ノズル部１１の先端部の周縁部分に環状に延設して形成された易破断線１４が、引張り操作部１５の操作により破断されて、閉塞面部１３が除去されることにより開口形成される。易破断線１４は、注出ノズル部１１の先端部の周縁部分において、注出ノズル部１１の周壁部１１ａに形成されており、閉塞面部１３は、注出ノズル１１の周壁部１１ａの先端部と共に除去される。【選択図】図３
2018154395.tif 000002
【特許請求の範囲】
【請求項１】
注出ノズル部の軸方向と垂直な面に対して斜めに傾斜する閉塞面部が除去されることにより、前記注出ノズル部の先端に斜め注出口が開口形成される注出口の開封構造であって、
前記斜め注出口は、前記注出ノズル部の先端部の周縁部分に沿って環状に延設して形成された易破断線が、前記閉塞面部から延設する引張り操作部の操作により破断されて、前記閉塞面部が除去されることにより開口形成されるようになっており、
前記易破断線は、前記注出ノズルの先端部の周縁部分において、前記注出ノズル部の周壁部に形成されており、前記閉塞面部は、前記注出ノズルの周壁部の先端部と共に除去されるようになっている注出口の開封構造。
【請求項２】
前記易破断線は、前記注出ノズルの周壁部の内側面又は外側面に設けられた線状の凹溝により薄い厚さに形成された、薄肉線となっている請求項１記載の注出口の開封構造。
【請求項３】
前記易破断線を形成する線状の凹溝は、該凹溝内において１又は２以上の角部を有する横断面形状を備えている請求項２記載の注出口の開封構造。
【請求項４】
前記易破断線を形成する線状の凹溝は、前記角部に向けて、前記注出ノズル部の軸方向と垂直な面に対して斜めに傾斜する部分を含む横断面形状を備えている請求項３記載の注出口の開封構造。
【請求項５】
前記引張り操作部は、環状の指掛けリング部を含んで形成されている請求項１〜４のいずれか１項記載の注出口の開封構造。
【請求項６】
前記引張り操作部は、前記閉塞面部の先端部分から、前記注出ノズル部の先端を超えて、前記注出ノズル部の周壁部に沿って基端部側に延設して設けられている請求項１〜５のいずれか１項記載の注出口の開封構造。
【請求項７】
請求項１〜６のいずれか１項記載の注出口の開封構造を備える前記注出ノズル部が設けられたキャップ部材。
【請求項８】
口首部と、内部に内容物を収容する容器本体とを有し、前記口首部に、請求項１〜６のいずれか１項記載の注出口の開封構造を備える前記注出ノズル部が設けられている注出容器。
【発明の詳細な説明】
【技術分野】
【０００１】
本発明は、注出口の開封構造に関し、特に、斜めに傾斜する閉塞面部が除去されることにより、注出ノズル部の先端に斜め注出口が開口形成される注出口の開封構造に関する。
【背景技術】
【０００２】
内容液を収容した容器本体の口首部に装着されて口首部を閉塞する、合成樹脂製のキャップや中栓が取り付けられた容器として、これらのキャップや中栓に形成された易破断線を破断させることにより注出口を開口させて、内溶液を注出できるようにした種々の容器が知られている（例えば、特許文献１参照）。これらの容器では、例えばキャップや中栓に設けられたリング状の注出壁部の内側の天板部に、注出口の外周形状に沿った形状の易破断線を形成すると共に、易破断線によって囲まれる除去予定部から立設する支柱部の先端に設けられた、環状の指掛けリング部であるプルリングを引き上げることにより、易破断線を破断させ、除去予定部を除去することによって、注出口が開口形成されるようになっている。
【０００３】
また、例えば化粧水、乳液等の液状物を内容物として収容する容器では、容器本体の口首部にポンプ装置等の吐出装置が、着脱可能に装着されているものが多く用いられている。これらの吐出装置が取り付けられた容器では、省資源化や、環境への負荷の低減等を図ることを目的として、内容物が無くなったり少なくなったりした際に、例えば専用の詰め替え容器から、内容物を詰め替えたり補充したりすることによって、好ましくは吐出装置が取り付けられた容器を被詰め替え容器として、繰り返して使用できるようにしている。
【０００４】
さらに、例えばこのような詰め替え容器から被詰め替え容器に、内容物を詰め替える際の操作を容易にすること目的として、詰め替え容器に筒状の注出ノズル部を設けると共に、注出ノズル部の先端の注出口を閉塞面部によって閉塞しておき、注出口を開口する際に、例えばプルリングによる引張り操作部からの引張り力によって易破断線を破断させて、閉塞面部を除去することにより、注出口が開口形成されるようにした注出口の開封構造も開発されている（例えば、特許文献２参照）。
【先行技術文献】
【特許文献】
【０００５】
【特許文献１】特開２００８−２０７８５５号公報
【特許文献２】特開２０１２−６６８３５号公報
【発明の概要】
【発明が解決しようとする課題】
【０００６】
特許文献２に記載の注出口の開封構造によれば、易破断線を破断させることによって、閉塞されていた注出ノズルの先端の注出口が容易に開口形成されるようになっており、また注出口は、注出ノズルの中心軸に対して開口面が傾いた斜め注出口となっているので、注出時に空気置換が円滑に行われて、スムーズに内容物を注出させて詰め替えることが可能になる。しかし、その一方で、例えば内容物を注出させて詰め替える操作を行う前に、不用意に易破断線が破断して内容物が漏れるのをより確実に回避できるようにしたり、内容物を詰め替える際に、斜め注出口を介した内容物の注出がよりスムーズに行われるようにすることを目的として、注出口の開封部分の構造について、さらに改良することが望まれている。
【０００７】
本発明は、注出口が開口形成されて内容物を注出させる前に、易破断線が不用意に破断して内容物が漏れるのをより確実に回避できると共に、内容物を注出させる際に、斜め注出口を介した内容物の注出がよりスムーズに行われるようにすることのできる注出口の開封構造を提供することを目的とする。
【課題を解決するための手段】
【０００８】
本発明は、注出ノズル部の軸方向と垂直な面に対して斜めに傾斜する閉塞面部が除去されることにより、前記注出ノズル部の先端に斜め注出口が開口形成される注出口の開封構造であって、前記斜め注出口は、前記注出ノズル部の先端部の周縁部分に沿って環状に延設して形成された易破断線が、前記閉塞面部から延設する引張り操作部の操作により破断されて、前記閉塞面部が除去されることにより開口形成されるようになっており、前記易破断線は、前記注出ノズルの先端部の周縁部分において、前記注出ノズル部の周壁部に形成されており、前記閉塞面部は、前記注出ノズルの周壁部の先端部と共に除去されるようになっている注出口の開封構造を提供することにより、上記目的を達成したものである。
【０００９】
また、本発明は、上記の注出口の開封構造を備える前記注出ノズル部が設けられたキャップ部材を提供することにより、上記目的を達成したものである。
【００１０】
さらに、本発明は、口首部と、内部に内容物を収容する容器本体とを有し、前記口首部に、上記の注出口の開封構造を備える前記注出ノズル部が設けられている注出容器を提供することにより、上記目的を達成したものである。
【発明の効果】
【００１１】
本発明の注出口の開封構造によれば、注出口が開口形成されて内容物を注出させる前に、易破断線が不用意に破断して内容物が漏れるのをより確実に回避できると共に、内容物を注出させる際に、斜め注出口を介した内容液の注出がよりスムーズに行われるようにすることができる。
【図面の簡単な説明】
【００１２】
【図１】本発明の好ましい一実施形態に係る注出口の開封構造を備える注出ノズル部が設けられた注出容器の斜視図である。
【図２】（ａ）、（ｂ）は、注出ノズル部の閉塞面部を除去して斜め注出口が開口形成される状況を説明する要部斜視図である。
【図３】本発明の好ましい一実施形態に係る注出口の開封構造を備える注出ノズル部が設けられたキャップ部材の、（ａ）は斜視図、（ｂ）は側面図である。
【図４】本発明の好ましい一実施形態に係る注出口の開封構造を説明する、図３（ａ）のＡ−Ａに沿った断面図である。
【図５】（ａ）〜（ｆ）は、易破断線の他の形態を例示する略示断面図である。
【図６】従来の注出口の開封構造を説明する断面図である。
【発明を実施するための形態】
【００１３】
本発明の好ましい一実施形態に係る注出口の開封構造１０は、図１に示すように、例えば化粧水、乳液等の液状物、又はおしろい、ファンデーション等の粉状物を内容物として収容した、好ましくは注出容器２０に設けられ、図２（ａ）、（ｂ）にも示すように、注出ノズル部１１の先端の斜め注出口１２を閉塞する閉塞面部１３を、容器２０の使用時に容易に除去させて、斜め注出口１２がスムーズに開口形成されるようにする開封部分の構造として採用されたものである。注出容器２０は、口首部と、内部に内容物を収容する容器本体２１とを具備する。本実施形態の開封構造１０を備える注出容器２０は、好ましくは詰め替え用の容器として用いられる。以降、詰め替え用の注出容器２０として説明する。
【００１４】
本実施形態では、注出ノズル部１１は、内容物が収容された合成樹脂製の円筒形状の容器本体２１の上端部に設けられた口首部２１ａ（図４参照）に装着された、キャップ部材２２の天板部２２ａから立設して、当該キャップ部材２２と一体として設けられている（図１参照）。また、本実施形態では、注出ノズル部１１の先端部を覆う閉塞面部１３は、注出ノズル部１１の軸方向Ｘと垂直な面に対して斜めに傾斜して設けられており、この閉塞面部１３を、易破断線１４を破断させることで除去することによって、斜め注出口１２を、注出ノズル部１１の軸方向Ｘと垂直な面に対して斜めに傾斜させた状態で開口させるようになっている（図２（ａ）、（ｂ）参照）。本実施形態の開封構造１０は、詰め替え用の注出容器２０によって内容物を詰め替える操作を行う前に、易破断線１４が不用意に破断して内容物が漏れるのを、より確実に回避できるようにする機能を備えると共に、内容物を注出させて詰め替える際に、開口した斜め注出口１２を介した内容物の注出が、よりスムーズに行われるようにする機能を備えている。
【００１５】
そして、本実施形態の注出口の開封構造１０は、注出ノズル部１１の軸方向Ｘと垂直な面に対して斜めに傾斜する閉塞面部１３が除去されることにより、注出ノズル部１１の先端に斜め注出口１２が開口形成される開封構造であって、図２（ａ）、（ｂ）に示すように、斜め注出口１２は、注出ノズル部１１の先端部の周縁部分に沿って環状に延設して形成された易破断線１４が、閉塞面部１３から延設する引張り操作部１５の操作により破断されて、閉塞面部１３が除去されることにより開口形成されるようになっている。閉塞面部１３の除去は、引張り操作部１５を操作した際の引張り力により、易破断線１４を破断させて行われる。易破断線１４は、図３（ａ）、（ｂ）及び図４に示すように、注出ノズル部１１の先端部の周縁部分において、注出ノズル部１１の周壁部１１ａに形成されており、閉塞面部１３は、注出ノズル１１の周壁部１１ａの先端部と共に除去されるようになっている。
【００１６】
また、本実施形態では、引張り操作部１５は、好ましくは環状の指掛けリング部１５ａである、いわゆるプルリングを含んで形成されており、好ましくは閉塞面部１３における、注出ノズル部１１の軸方向Ｘの先端部分から、注出ノズル部１１の先端を超えて、注出ノズル部１１の周壁部１１ａに沿って注出ノズル部１１の基端部側に延設して設けられている。
【００１７】
さらに、本実施形態では、注出容器２０は、口首部２１ａ（図４参照）と、内部に内容物を収容する容器本体２１とを有し、口首部２１に、上述の注出口の開封構造１０を備える注出ノズル部１１が設けられている。
【００１８】
本実施形態では、注出ノズル部１１は、上述のように、容器本体２１の口首部２１ａに装着される、合成樹脂製のキャップ部材２２の天板部２２ａから立設して、キャップ部材２２と一体成形されて設けられている。注出ノズル部１１は、内径が例えば１０〜３０ｍｍ程度の大きさの円筒形状を有する部分となっており、キャップ部材２２の天板部２２ａから、例えば１０〜３０ｍｍ程度の高さで立設して設けられている。注出ノズル部１１は、その先端部が、当該注出ノズル部１１の軸方向Ｘと垂直な面に対して斜めに傾斜して設けられた閉塞面部１３によって、閉塞されている。閉塞面部１３は、本実施形態では、好ましくは、注出ノズル部１１の軸方向Ｘと垂直な面Ｐに対して、３０〜６０°の傾斜角度θ（図４参照）で、緩やかに湾曲した状態で斜めに傾斜して設けられている。
【００１９】
また、本実施形態では、閉塞面部１３における、注出ノズル部１１の軸方向Ｘの先端部分から延設して、引張り操作部１５が設けられている。引張り操作部１５は、閉塞面部１３の先端部分から起立して上方に突出する短尺帯状の起立部１５ｂと、起立部１５ｂの上端部と連続して、注出ノズル部１１の先端を超えて注出ノズル部１１の外側に張り出すようにして設けられた曲り連結部１５ｃと、曲り連結部１５ｃの先端部から下方に延設して設けられた、好ましくはプルリングによる指掛けリング部１５ａとを含んで構成されている。指掛けリング部１５ａは、閉塞面部１３が開封される前の状態では、注出ノズル部１１の周壁部１１ａに沿って、曲り連結部１５ｃの先端部から注出ノズル部１１の基端部側に向けて延設させた状態で設けられている。本実施形態では、注出容器２０において、注出ノズル部１１側が上方であり、容器本体２１側が下方である。
【００２０】
さらに、本実施形態では、閉塞面部１３の外側面に、矢印形状の肉厚凸部１３ａが形成されている。肉厚凸部１３ａは、矢印形状の基端部分を引張り操作部１５の起立部１５ｂの基端部分と連続させると共に、矢印形状の先端部分を閉塞面部１３の下半部分まで延設させて、閉塞面部１３の左右方向の中央部分に設けられている。操作部１５の起立部１５ｂの基端部分と連続させて、肉厚凸部１３ａが閉塞面部１３の中央部分に設けられていることにより、引張り操作部１５の起立部１５ｂと閉塞面部１３との境界部を効果的に補強することが可能になる。これによって、閉塞面部１３の開封時に、指掛けリング部１５ａからの引張り力によって起立部１５ｂが引っ張られる力を、左右均等に閉塞面部１３がめくり上がるように、閉塞面部１３の先端部分に効率良く伝搬させることが可能になる。またこれによって、閉塞面部１３をよりスムーズに除去させることが可能になる。また、肉厚凸部１３ａが、先端部分を閉塞面部１３の下半部分まで延設させた矢印形状を備えているので、閉塞面部１３の開封時に、使用者に引張り操作部１５の指掛けリング部１５ａを引っ張る方向を明示することが可能になって、開封する操作を一層行い易くすることが可能になる。
【００２１】
そして、本実施形態では、引張り操作部１５からの引張り力により破断して、閉塞面部１３を除去することで斜め注出口１２を形成させる、注出ノズル部１１の先端部の周縁部分に環状に延設して設けられた易破断線１４は、図３（ａ）、（ｂ）及び図４に示すように、注出ノズル部１１の先端部の周縁部分において、注出ノズル部１１の周壁部１１ａに形成されている。これによって、閉塞面部１３を開封して斜め注出口１２を開口させる際に、閉塞面部１３は、注出ノズル１１の周壁部１１ａの先端部と共に除去されるようになっている。
【００２２】
例えば特開２０１２−６６８３５号公報に開示された、従来の注出口の開封構造では、図６に示すように、注出ノズル部１１’の先端部の周縁部分に沿って環状に延設して形成された易破断線１４’は、注出ノズル部１１’の先端部を閉塞する閉塞面部１３’の周縁部分において、当該閉塞面部１３’における注出ノズル部１１’の周壁部１１ａ’よりも内側の領域となっている、閉塞面部１３’の内側面に形成された、線状の凹溝による薄肉線として設けられている。これに対して、本実施形態では、易破断線１４は、注出ノズル部１１の周壁部１１ａにおいて、注出ノズル部１１の先端部に形成されていると共に、閉塞面部１３を開封して斜め注出口１２を開口させる際に、閉塞面部１３が、注出ノズル１１の周壁部１１ａの先端部と共に除去されるようになっている。これによって、後述するように、図６に示すものと比較して、不用意な破断による液漏れを、より効果的に回避することが可能になると共に、内容物をよりスムーズに注出することが可能になる。
【００２３】
また、本実施形態では、注出ノズル部１１の先端部の周縁部分において、注出ノズル部１１の周壁部１１ａに沿って環状に延設して設けられた易破断線１４は、注出ノズルの周壁部の外側面に設けられた線状の凹溝により、該周壁部１１ａにおいて薄い厚さに形成された、薄肉線となっている。易破断線１４が薄肉線となっていることにより、引張り操作部１５からの引張り力が薄肉線による易破断線１４に集中し易くなるので、易破断線１４をスムーズに破断させて、閉塞面部１３を開封することが可能になる。
【００２４】
ここで、薄肉線による易破断線１４を形成する凹溝は、図５（ａ）〜（ｅ）に示すように、該凹溝内において１又は２以上の角部を有する横断面形状を備えていることが好ましい。これによって、引張り操作部１５からの引張り力が易破断線１４の角部に集中し、引張り力が集中した角部が起点となることで、易破断線１４がより容易に破断し易くなり、易破断線１４をさらにスムーズに破断させて、閉塞面部１３を開封することが可能になる。凹溝内における角部は、周壁部１１ａの表面と凹溝との角部を含むものではない。
【００２５】
また、薄肉線による易破断線１４を形成する凹溝は、図５（ａ）、（ｂ）、（ｃ）及び（ｅ）に示すように、凹溝内における角部に向けて、注出ノズル部１１の軸方向Ｘと垂直な面Ｐに対して斜めに傾斜する部分を含む横断面形状を備えていることが好ましい。これによって、引張り操作部１５からの引張り力が易破断線１４の凹溝内における角部にさらに集中し易くなり、引張り力が集中した凹溝内における角部を起点にして、易破断線１４がより一層容易に破断し易くなることで、易破断線１４をさらにスムーズに破断させて、閉塞面部１３を開封することが可能になる。
【００２６】
本実施形態の注出口の開封構造１０では、注出ノズル部１１の先端部の周縁部分に沿って環状に延設して設けられた易破断線１４を、閉塞面部１３から延設する引張り操作部１５を操作した際の引張り力により破断させて、閉塞面部１３を除去することで、注出ノズル部１１の先端に斜め注出口１２をスムーズに開口させることが可能である。すなわち、本実施形態では、図２（ａ）に示すように、引張り操作部１５の指掛けリング部１５ａに、例えば人指し指（図示せず）を引っ掛けて、指掛けリング部１５ａを上方に引き上げるようにしてから、さらに、起立部１５ｂ及び折曲り連結部１５ｃの部分を中心に回転させるようにしながら、指掛けリング部１５ａを閉塞面部１３側に反転させ、しかる後に、指掛けリング部１５ａを、閉塞面部１３の先端部から遠ざけるようにして、横方向に、或いは閉塞面部１３に沿った斜め下方に、引っ掛けた例えば人指し指によって引っ張る。これによって、注出ノズル部１１の先端部の周縁部分に沿って環状に設けられた易破断線１４は、閉塞面部１３の先端部から下方に向けて連続して破断してゆき、閉塞面部１３の下端部まで破断することにより閉塞面部１３が除去されて、図２（ｂ）に示すように、斜め注出口１２が、注出ノズル部１１の先端にスムーズに開口されることになる。
【００２７】
そして、上述の構成を備える本実施形態の注出口の開封構造１０によれば、斜め注出口１２を開封する前に、易破断線１４が不用意に破断して内容物が漏れるのをより確実に回避することが可能になると共に、内容物を注出する際に、斜め注出口１２を介した内容物の注出がよりスムーズに行われるようにすることが可能になる。また、本実施形態の注出口の開封構造１０を詰め替え用の注出容器２０に用いた場合には、内容物を詰め替える操作を行う前に、易破断線１４が不用意に破断して内容物が漏れるのをより確実に回避することが可能になると共に、内容物を詰め替える際に、斜め注出口１２を介した内容物の注出がよりスムーズに行われるようにすることが可能になる。
【００２８】
すなわち、本実施形態の注出口の開封構造１０によれば、閉塞面部１３を除去して斜め注出口１２を開口させる、注出ノズル部１１の先端部の周縁部分に環状に延設して形成された易破断線１４は、注出ノズル部１１の先端部の周縁部分において、注出ノズル部１１の周壁部１１ａに形成されており、閉塞面部１３は、注出ノズル１１の周壁部１１ａの先端部と共に除去されるようになっている。
【００２９】
これによって、本実施形態によれば、注出容器２０として、例えば詰め替え用の注出容器２０を倒立させた状態で不用意に落下させて、引張り操作部１５の起立部１５ｂや折曲り連結部１５ｃが床面等と衝突した際に、その衝撃力は、薄肉線による易破断線１４を破断させるせん断方向の力ではなく、薄肉線を圧縮させる方向の力として、易破断線１４に負荷され易くなるので、衝撃力を分散したり吸収したりすることにより緩和して、当該易破断線１４が破断して液漏れが生じ易くなるのを、効果的に回避することが可能になる。
【００３０】
また、本実施形態によれば、易破断線１４は、注出ノズル部１１の周壁部１１ａに形成されていると共に、閉塞面部１３は、注出ノズル１１の周壁部１１ａの先端部と共に除去されるようになっている。これによって、閉塞面部１３を開封した際に、易破断線１４の切れ端が、形成された斜め注出口１２の内側ではなく、外側に形成されるため、斜め注出口１２を介した内容物の注出を阻害すことなく、内容物をスムーズに注出させることが可能になる。
【００３１】
さらに、本実施形態では、易破断線１４は、注出ノズル部１１の周壁部１１ａに、凹溝によって形成されているので、従来の易破断線１４’が閉塞面部１３’に形成されている開封構造のように、易破断線１４’の肉厚の制御が金型を上下に移動させる部分での制御となっていて、易破断線１４’の肉厚にばらつきが生じ易くなるものと比較して、金型による易破断線１４の肉厚の制御が容易になる。これによって、注出ノズル部１１の成形のし易さを向上させることが可能になる。
【００３２】
なお、本発明は上記実施形態に限定されることなく種々の変更が可能である。例えば、易破断線は、注出ノズルの周壁部の外側面に設けられた線状の凹溝により薄肉に形成された薄肉線である必要は必ずしも無く、周壁部の内側面に設けられた線状の凹溝により薄肉に形成された薄肉線であっても良い。易破断線は、線状の凹溝により薄肉に形成された薄肉線の他、ハーフカット等の、その他の易破断線であっても良い。易破断線を形成する線状の凹溝は、１又は２以上の角部を有する横断面形状を備えている必要は必ずしも無く、例えば図５（ｆ）に示すように、円弧状（半円形状）の横断面形状を備える凹溝であっても良い。引張り操作部は、環状の指掛けリング部を含んで形成されている必要は必ずしも無く、閉塞面部に引張り力を付与して易破断線を破断させることが可能な、その他の種々の形態を備える引張り操作部であって良い。本発明の開封構造を備える注出ノズル部が設けられた、内容物を注出可能な注出容器は、詰め替え用の容器である必要は必ずしも無く、その他の種々の用途に用いる容器であっても良い。本発明の開封構造を備える注出ノズル部を覆って、オーバーキャップが着脱可能に装着された容器であっても良い。
【符号の説明】
【００３３】
１０  注出口の開封構造
１１  注出ノズル部
１１ａ  周壁部
１２  斜め注出口
１３  閉塞面部
１３ａ  肉厚凸部
１４  易破断線
１５  引張り操作部
１５ａ  指掛けリング部
１５ｂ  起立部
１５ｃ  折曲り連結部
２０  注出容器
２１  容器本体
２２  キャップ部材
２２ａ  天板部
Ｘ    注出ノズル部の軸方向
Ｐ    注出ノズル部の軸方向と垂直な面
θ    閉塞面部の傾斜角度
【図１】
2018154395.tif 000003
【図２】
2018154395.tif 000004
【図３】
2018154395.tif 000005
【図４】
2018154395.tif 000006
【図５】
2018154395.tif 000007
【図６】
2018154395.tif 000008